(57)【要約】【課題】蓄電池の劣化を抑えつつ、蓄電性能を維持すること。【解決手段】実施形態に係る蓄電システムは、蓄電池と、推定部と、調整部とを具備する。推定部は、蓄電池の劣化状態を推定する。調整部は、蓄電池の充電時において充電容量が所定値に達した後の充電電力を推定部によって推定された劣化状態に基づいて調整する。【選択図】図２
2019062600.tif 000002
【特許請求の範囲】
【請求項１】
蓄電池と；
前記蓄電池の劣化状態を推定する推定部と；
前記蓄電池の充電時において充電容量が所定値に達した後の充電電力を前記推定部によって推定された前記劣化状態に基づいて調整する調整部と；
を具備することを特徴とする蓄電池システム。
【請求項２】
前記調整部は、
前記劣化状態が進行しているほど前記充電電力を低い値へ調整すること
を特徴とする請求項１に記載の蓄電池システム。
【請求項３】
前記推定部は、
前記蓄電池の容量維持率を算出し、当該容量維持率を前記劣化状態として推定すること
を特徴とする請求項１または２に記載の蓄電池システム。
【請求項４】
前記推定部は、
前記蓄電池の充放電履歴に基づいて前記劣化状態を推定すること
を特徴とする請求項１、２または３に記載の蓄電池システム。
【請求項５】
蓄電システムが実行する充電制御方法であって、
蓄電池の劣化状態を推定する推定工程と；
前記蓄電池の充電時において充電容量が所定値に達した後の充電電力の低減量を前記推定工程によって推定された前記劣化状態に基づいて調整する調整工程と；
を含んだ充電制御方法。
【発明の詳細な説明】
【技術分野】
【０００１】
本発明は、蓄電システムおよび充電制御方法に関する。
【背景技術】
【０００２】
従来、蓄電池の充電時において充電容量が所定値に達した場合に、充電電力を低下させて充電するいわゆる押し込み充電によって、より多くの充電容量を確保する蓄電システムが提案されている。
【先行技術文献】
【特許文献】
【０００３】
【特許文献１】特開２０１５−４２０１３号公報
【発明の概要】
【発明が解決しようとする課題】
【０００４】
ところで、一般的に蓄電池では、充電率が満充電に近づくと、電極が不安定な状態となり、かかる状態で充電を停止した場合、電池電圧が低下して瞬時に充電容量が低下してしまう。一方で、蓄電池は長期間の充放電使用によって劣化が進行することによる充電容量の低下も発生する。このため、上記した従来の蓄電システムは、長期的な蓄電池の劣化を考慮した蓄電性能の維持を行うことができなかった。
【０００５】
本発明が解決しようとする課題は、蓄電池の劣化を抑えつつ、蓄電性能を維持することができる蓄電システムおよび充電制御方法を提供することを目的とする。
【課題を解決するための手段】
【０００６】
実施形態に係る蓄電システムは、蓄電池と、推定部と、調整部とを具備する。前記推定部は、前記蓄電池の劣化状態を推定する。前記調整部は、前記蓄電池の充電時において充電容量が所定値に達した後の充電電力を前記推定部によって推定された前記劣化状態に基づいて調整する。
【図面の簡単な説明】
【０００７】
【図１】図１は、実施形態に係る蓄電システムのシステム構成を示す図である。
【図２】図２は、実施形態に係る蓄電池の構成を示すブロック図である。
【図３】図３は、実施形態に係る切替電圧の具体例を示す図である。
【図４】図４は、充電電力の推移を示す図である。
【図５】図５は、押し込み充電時における充電電力と劣化状態の相関を示す図である。
【図６】図６は、実施形態に係る蓄電システムが実行する処理手順を示すフローチャートである。
【図７】図７は、実施形態に係る調整部が実行する処理手順を示すフローチャートである。
【発明を実施するための形態】
【０００８】
以下で説明する実施形態に係る蓄電システム１は、推定部３３２ｂと、調整部３３２ｃとを具備する。推定部３３２ｂは、蓄電池３０（電池部３１）の劣化状態を推定する。調整部３３２ｃは、蓄電池３０の充電時において充電容量が所定値に達した後の充電電力を推定部３３２ｂによって推定された劣化状態に基づいて調整する。
【０００９】
以下で説明する実施形態に係る調整部３３２ｃは、劣化状態が進行しているほど充電電力を低い値へ調整する。
【００１０】
以下で説明する実施形態に係る推定部３３２ｂは、蓄電池３０の容量維持率を算出し、当該容量維持率を劣化状態として推定する。
【００１１】
以下で説明する実施形態に係る推定部３３２ｂは、蓄電池３０の充放電履歴に基づいて劣化状態を推定する。
【００１２】
以下、図面を参照して、実施形態に係る蓄電システム１について説明する。実施形態において同一の部位には同一の符号を付し、重複する説明は省略される。
【００１３】
（実施形態）
まず、図１を用いて、実施形態に係る蓄電システム１のシステム構成について説明する。図１は、実施形態に係る蓄電システム１のシステム構成を示す図である。なお、図１に示す蓄電システム１のシステム構成は一例であってこれに限定されるものではない。
【００１４】
図１に示す例では、蓄電システム１は、ユーザ（需要家）の住宅ＨＭに設けられ、蓄電池３０を所定の電力系統１１から供給される電力や太陽光パネル２１により生成された電力により充電したり、蓄電池３０を充電した電力を負荷である機器１４ａ，１４ｂ，１５ａ，１５ｂへ供給したりする。
【００１５】
（蓄電システム１の構成）
図１に示すように、蓄電システム１は、蓄電池３０と、蓄電池用分電盤１３と、住宅用分電盤１２と、ホームゲートウェイＧＷと、太陽光パネル２１と、第１パワーコンディショナ２２とを具備する。
【００１６】
また、蓄電システム１は、ホームゲートウェイＧＷを経由して図示しないネットワークに接続可能である。また、蓄電システム１は、かかるネットワークによりアグリゲータ等の外部のサーバＳＶ（以下、アグリゲータＳＶと記載する）との間で情報の送受信が可能である。
【００１７】
なお、ここでいうアグリゲータＳＶとは、需要家の電力需要を束ねて効果的にエネルギーマネジメントサービスを提供するサーバであり、各蓄電システム１から各種情報を収集し、収集した情報を基に、電力消費量を把握し節電を支援するサービスや、電力売買、送電サービス、その他のサービスの仲介を行っている。例えば、アグリゲータＳＶは、各蓄電システム１の蓄電池３０に対して充電または放電の指示（以下、充放電指示と記載する）を通知する。そして、アグリゲータＳＶは、蓄電システム１から放電された電力の電力会社への売電を仲介する。なお、アグリゲータＳＶは、電力会社を兼ねてもよい。
【００１８】
例えば、図１において、各構成間を結ぶ実線は電気的な接続関係を示し、各構成間を結ぶ点線は情報の送受信が可能な接続関係を示す。なお、蓄電システム１の各構成の接続関係は図１に示した接続関係に限らず、他の接続関係であってもよい。例えば、実線で結ばれた各構成間において情報の送受信が可能であってもよいし、点線で結ばれた各構成間において電気的な接続関係があってもよい。
【００１９】
蓄電池３０は、電力を蓄電するためのバッテリー（二次電池）である電池部３１と、電池部３１に蓄電された電力の制御を行う第２パワーコンディショナ３２と、制御装置３３とを有し、電力系統１１から供給される電力や太陽光パネル２１により生成された電力により充電される。また、例えば、蓄電池３０は、電池部３１に蓄えた電力を蓄電池用分電盤１３や住宅用分電盤１２を経由して住宅ＨＭ内の機器１４ａ，１４ｂ，１５ａ，１５ｂに供給する。なお、制御装置３３については後述する。
【００２０】
例えば、蓄電池３０は、蓄電池用分電盤１３を経由して機器１４ａ，１４ｂ，１５ａ，１５ｂのうち選定負荷の機器１５ａ，１５ｂに電力を供給する。また、例えば、蓄電池３０は、住宅用分電盤１２を経由して機器１４ａ，１４ｂ，１５ａ，１５ｂのうち一般負荷の機器１４ａ，１４ｂに電力を供給する。例えば、蓄電池３０は、停電時においては、蓄電池用分電盤１３を経由して選定負荷の機器１５ａ，１５ｂのみに電力を供給する。
【００２１】
なお、蓄電池３０は、バッテリーである電池部３１に対して充電を行うことにより電気を蓄えることができる。そして、電池部３１は、繰り返し充放電して使用することが出来る電池であればどのような電池であってもよい。例えば、電池部３１は、リチウムイオン電池や鉛電池やニッケル水素電池など、目的に応じて種々の蓄電池が適宜選択されてもよい。また、蓄電池３０は、電力を蓄える機能を有すればどのような構成であってもよく、例えば、電気自動車やプラグインハイブリッド自動車等であってもよい。
【００２２】
蓄電池用分電盤１３および住宅用分電盤１２は、住宅ＨＭの配線に電気を分ける装置である。例えば、蓄電池用分電盤１３および住宅用分電盤１２は、漏電遮断器や配線用遮断器等の種々の機器を含む。例えば、蓄電池用分電盤１３は、電力系統１１や蓄電池３０から供給される電力を住宅ＨＭの選定負荷の機器１５ａ，１５ｂに供給したりする。また、例えば、住宅用分電盤１２は、電力系統１１や蓄電池３０から供給される電力を住宅ＨＭの一般負荷の機器１４ａ，１４ｂに供給したりする。
【００２３】
ホームゲートウェイＧＷは、アグリゲータＳＶと住宅ＨＭ内の各装置、すなわち蓄電システム１の各装置との間の情報の送受信を可能にするネットワーク機器である。なお、ホームゲートウェイＧＷとアグリゲータＳＶとの間に、所定の中継機器（例えばブロードバンドルータ）等が設けられる場合があるが、図１においては説明を省略する。また、ホームゲートウェイＧＷは、蓄電システム１の各装置間の情報の送受信を可能にする。例えば、ホームゲートウェイＧＷは、第１パワーコンディショナ２２とアグリゲータＳＶとの間の情報の送受信を可能にする。
【００２４】
太陽光パネル２１は、例えば、太陽電池素子（セル）を必要枚数配列し、樹脂や強化ガラスなどによりパッケージ化した太陽電池モジュールであり、ソーラーパネルとも呼ばれる。なお、太陽光パネル２１に用いられるセルは、どのようなセルであってもよい。例えば、太陽光パネル２１に用いられるセルは、シリコン系のセルや化合物系のセルや有機系のセルなど、目的に応じて種々のセルが適宜選択されてもよい。なお、蓄電システム１は、太陽光パネル２１を有さなくてもよい。
【００２５】
このように、蓄電システム１には太陽光パネル２１が含まれているため、蓄電システム１内で消費する電力よりも、太陽光パネル２１によって自家発電された電力が多くなった場合に、その余剰電力を電力系統１１に戻し売電する。この場合、蓄電システム１内で消費する電力の一部を蓄電池３０で供給することによって、太陽光パネル２１で発電した電力の売電量を増やすことができる。また、蓄電池３０は、太陽光パネル２１によって自家発電された電力が多くなった場合のみならず、例えば、電力系統１１側の供給能力が逼迫した際等、所定のタイミングで逆潮流放電、すなわち、売電を行ってもよい。また、蓄電池３０は、蓄電システム１内での消費電力量が上昇した場合等には、電力系統１１側から供給される電力量のピーク値を軽減するために、蓄電した電力を機器１４ａ，１４ｂ，１５ａ，１５ｂに供給してもよい。
【００２６】
第１パワーコンディショナ２２は、パワコン、ＰＣＳ（Power  Conditioning  System）とも称される装置であって、太陽光パネル２１から接続箱（図示せず）を経由して供給される電力を、住宅ＨＭ内の機器１４ａ，１４ｂ，１５ａ，１５ｂなどで利用可能にする装置である。例えば、第１パワーコンディショナ２２は、太陽光パネル２１から接続箱を経由して供給される直流電力を交流電力に変換する。また、例えば、第１パワーコンディショナ２２は、直流電力をそのまま蓄電池３０への充電に利用してもよいし、交流電力に変換した後、電力を住宅ＨＭ内での利用や、電力系統１１への売電などに対応する出力に調整する。なお、例えば、第１パワーコンディショナ２２は、ホームゲートウェイＧＷと通信可能である。例えば、第１パワーコンディショナ２２は、ホームゲートウェイＧＷを介して、第２パワーコンディショナ３２と通信可能である。
【００２７】
ここで、従来の蓄電システムについて説明する。従来の蓄電システムでは、電池部を充電する際に、より多くの充電容量を確保するために押し込み充電を行うものがある。押し込み充電とは、充電時において電池部の充電容量が所定値に達した場合に、充電電力を低下させて充電を行うものである。
【００２８】
これにより、従来の蓄電システムでは、充電時における電池部の負荷を抑えることで、より多くの充電容量を確保することが可能である。しかしながら、従来の蓄電システムでは、電池部の長期的な劣化を考慮した蓄電性能の維持を行なうことができなかった。
【００２９】
具体的には、一般的に蓄電池では、充電率が満充電に近づくと、電池電極が不安定な状態となり、このような状態で充電を停止すると、電極のエネルギーが安定な状態に移行するため、電池電圧が低下する。なお、以下では、このような現象について「リバウンド」と記載する。このため、従来の蓄電システムでは、蓄電池の蓄電性能をリバウンドの分だけ犠牲にする、もしくは、蓄電池の電池電極が不安定になる領域を使用しないようにしていた。つまり、従来の蓄電システムでは、電池部の充電性能を最大限に発揮することができなかった。
【００３０】
そこで、実施形態に係る蓄電システム１では、押し込み充電時の充電電力を適切に調整することで、蓄電池３０の劣化を抑えつつ、蓄電池３０の蓄電性能を最大限に発揮することとした。
【００３１】
具体的には、実施形態に係る蓄電システム１は、蓄電池３０の劣化状態を推定する。つづいて、実施形態に係る蓄電システム１は、蓄電池３０の劣化状態（以下、単に劣化状態と記載する）に基づいて押し込み充電時の充電電力を調整する。
【００３２】
つまり、蓄電システム１では、劣化状態に応じて押し込み充電時の充電電力を調整することで、リバウンドを抑えることができ、蓄電池３０の蓄電性能を維持することが可能となる。
【００３３】
なお、実施形態に係る蓄電システム１は、劣化状態が進行しているほど充電電力を低い値へ調整することができるが、かかる点については後述する。
【００３４】
また、実施形態に係る蓄電システム１は、蓄電池３０の容量維持率を算出し、当該容量維持率を劣化状態として推定することができるが、かかる点については後述する。
【００３５】
また、実施形態に係る蓄電システム１は、蓄電池３０の充放電履歴に基づいて劣化状態を推定することができるが、かかる点の詳細については後述する。
【００３６】
（蓄電池３０の構成）
次に、図２を用いて蓄電池３０の構成について説明する。図２は、実施形態に係る蓄電池３０の構成例を示すブロック図である。なお、図２には、実施形態に係る蓄電池３０の構成のうち、必要な構成のみを図示し、他の構成については図示を省略する。
【００３７】
図２に示すように、蓄電池３０は、電池部３１と、第２パワーコンディショナ３２と、制御装置３３とを具備する。第２パワーコンディショナ３２は、変換部３２１と、切替部３２２とを具備する。
【００３８】
変換部３２１は、電池部３１へ供給される電力や、電池部３１から機器１４ａ，１４ｂ，１５ａ，１５ｂへ供給される電力を直流電流や交流電流に変換する回路を有する。また、変換部３２１は、電池部３１の電力を電力会社等に売電する場合にも直交変換する。具体的には、変換部３２１は、ＦＥＴ（Field  Effect  Transistor）、コイル、抵抗を有する直流交流変換回路や、電圧の昇圧降圧回路により構成される。
【００３９】
切替部３２２は、例えば、蓄電池用分電盤１３と住宅用分電盤１２との間に設けられたスイッチ素子（例えば、ＦＥＴ等）を制御し、例えば、停電時には、蓄電池用分電盤１３と住宅用分電盤１２との連携を切断する。連携が切断された場合、選定負荷の機器１５ａ，１５ｂのみに、蓄電池用分電盤１３を介して電力が供給される。また、切替部３２２は、蓄電池用分電盤１３を介して選定負荷の機器１５ａ，１５ｂに供給する電力を、第１パワーコンディショナ２２から供給された電力、または、電池部３１から放電された電力のいずれか一方に切り替える。なお、切替部３２２は、上記したスイッチの制御に限らず、第２パワーコンディショナ３２が有する様々なスイッチを制御することができる。
【００４０】
実施形態に係る制御装置３３は、通信部３３１と、制御部３３２と、記憶部３３３とを有する。制御部３３２は、検出部３３２ａと、推定部３３２ｂと、調整部３３２ｃとを有する。記憶部３３３は、充放電履歴情報３３３ａと、閾値情報３３３ｂと、充電電力情報３３３ｃとを記憶する。
【００４１】
通信部３３１は、例えば、所定の通信回路等によって実現される。例えば、通信部３３１は、アグリゲータＳＶ等の蓄電システム１の他の構成と通信可能である。
【００４２】
記憶部３３３は、例えば、ＲＡＭ（Random  Access  Memory）、フラッシュメモリ（Flash  Memory）等の半導体メモリ素子、または、ハードディスク、光ディスク等の記憶装置によって実現される。
【００４３】
制御部３３２は、各種の処理手順などを規定したプログラム及び所要データを格納するための内部メモリを有し、これらによって種々の処理を実行するが、特に本発明に密接に関連するものとしては、検出部３３２ａ、推定部３３２ｂおよび調整部３３２ｃを有する。
【００４４】
検出部３３２ａは、電池部３１の端子電圧Ｖｔや、電池部３１の充電容量を検出するセンサ群である。検出部３３２ａは、電池部３１の充電時において所定周期で端子電圧Ｖｔを検出し、検出毎に調整部３３２ｃへ通知する。また、検出部３３２ａは、電池部３１の充電容量を記憶部３３３の充放電履歴情報３３３ａに記憶する処理を行う。なお、ここでは、制御装置３３２が検出部３３２ａを備える構成としたが、検出部３３２ａを電池部３１等の制御装置３３２の外部に設けることとしてもよい。
【００４５】
推定部３３２ｂは、蓄電池３０の電池部３１の劣化状態を推定する。例えば、推定部３３２ｂは、定期的（例えば１年や半年おき）に蓄電池３０の容量維持率を算出し、かかる容量維持率を劣化状態として推定することができる。推定部３３２ｂは、電池部３１の充電容量がゼロの状態から満充電まで充電した際の充電電力量を計測し、電池部３１の定格容量に対する充電電力量の割合を容量維持率として算出する。
【００４６】
また、推定部３３２ｂは、充放電履歴情報３３３ａに基づいて電池部３１の劣化状態を推定することも可能である。ここで、充放電履歴情報３３３ａとは、電池部３１が充放電を行った電力量の累計値を示す情報であり、例えば、検出部３３２ａによって検出される電池部３１の充電容量の推移に基づいて更新される情報である。
【００４７】
推定部３３２ｂは、充放電履歴情報３３３ａに基づき、例えば、上記の累計値が増えるほど、劣化状態が進行していると推定することができる。なお、推定部３３２ｂは、例えば、電池部３１の充放電のサイクル回数や、電池部３１の設置年数に応じて劣化状態を推定することにしてもよい。例えば、推定部３３２ｂは、上記のサイクル回数が増えるほど、劣化状態が進行していると推定し、また、設置年数が増えるほど劣化状態が進行していると推定することにしてもよい。
【００４８】
また、推定部３３２ｂは、上記の推定方法を適宜組み合わせて劣化状態を推定することにしてもよい。例えば、推定部３３２ｂは、充放電履歴情報３３３ａに基づいて簡易的に劣化状態を推定し、定期診断時に容量維持率に基づいて劣化状態を正確に推定することにしてもよい。すなわち、推定部３３２ｂは、定期診断時以外であっても、劣化状態を推定することが可能である。また、推定部３３２ｂは、充放電時の電池部３１内部の温度を考慮して劣化状態を推定することにしてもよい。
【００４９】
調整部３３２ｃは、電池部３１の充電時において充電容量が所定値に達した後の充電電力を推定部３３２ｂによって推定された劣化状態に基づいて調整する。具体的には、調整部３３２ｃは、例えば、アグリゲータＳＶ（図１参照）から電池部３１の充電指示を受け付けた場合に、第２パワーコンディショナ３２の変換部３２１へ電池部３１に対する充電を指示する。
【００５０】
そして、調整部３３２ｃは、電池部３１の端子電圧Ｖｔが切替電圧Ｔｈｖに達した後の充電電圧を劣化状態に応じて調整する。なお、切替電圧Ｔｈｖに関する情報は、記憶部３３３に閾値情報３３３ｂとして記憶される。
【００５１】
ここで、図３を用いて切替電圧Ｔｈｖについて説明する。図３は、実施形態に係る切替電圧Ｔｈｖの具体例を示す図である。なお、図３は、充電時における電池部３１の端子電圧Ｖｔの推移の傾向を示す図であり、縦軸に、端子電圧Ｖｔを示し、横軸に充電容量を示す。
【００５２】
また、図３に示す端子電圧Ｖｔ１は、電池部３１が劣化していない状態(例えば、新品)における端子電圧Ｖｔの推移を示し、端子電圧Ｖｔ２は、劣化状態が進行した場合における端子電圧Ｖｔの推移を示す。
【００５３】
図３に示すように、電池部３１の充電後、劣化状態に応じて端子電圧Ｖｔが切替電圧Ｔｈｖに到達する充電容量が異なる。ここで、切替電圧Ｔｈｖは、充電容量が満充電まで所定の割合に達したことを示す電圧である。
【００５４】
つまり、電池部３１は、劣化状態に応じて充電時の端子電圧Ｖｔの挙動が異なり、劣化状態が進行するほど、少ない電池容量で端子電圧Ｖｔが切替電圧Ｔｈｖに達することになる。実施形態に係る蓄電システム１は、この点に着目し、端子電圧Ｖｔが切替電圧Ｔｈｖに達した場合に、定格充電から押し込み充電へ切り替える。
【００５５】
図３に示す例では、劣化が進行していない場合の端子電圧Ｖｔ１は、充電容量がｙで切替電圧Ｔｈｖに到達し、劣化が進行した場合の端子電圧Ｖｔ２では、充電容量がｘ（ｘ＜ｙ）で切替電圧Ｔｈｖに到達する。
【００５６】
したがって、蓄電システム１は、劣化が進行していない場合（端子電圧Ｖｔ１）、充電容量ｙまでを定格充電とし、その後、押し込み充電を行う。また、蓄電システム１は、劣化が進行している場合（端子電圧Ｖｔ１）には、充電容量ｘまでを定格充電とし、その後、押し込み充電を行う。
【００５７】
このように、蓄電システム１では、端子電圧Ｖｔに基づいて押し込み充電を開始することで、電池部３１の劣化状態によらず、適切なタイミングで定格充電から押し込み充電へ切り替えることが可能となる。
【００５８】
なお、上述のように、端子電圧Ｖｔは、電池部３１の劣化状態に応じて挙動が異なる。言い換えれば、端子電圧Ｖｔは、電池部３１の劣化状態を示す１つの指標となりうる。このため、推定部３３２ｂ（図２参照）は、端子電圧Ｖｔが切替電圧Ｔｈｖに達した際の充電容量から劣化状態を推定することにしてもよい。
【００５９】
図４は、充電電力の推移を示す図である。ここでは、充電容量がｘとなった場合に、端子電圧Ｖｔが切替電圧Ｔｈｖに達した場合について説明する。図４に示すように、蓄電システム１は、充電容量がｘに達するまでを定格充電である充電電力Ｗａで充電し、充電容量がｘに達した場合に、充電電力Ｗａから充電電力Ｗｂへ切り替える。蓄電システム１は、充電電力Ｗａと充電電力Ｗｂとの差分ｄを劣化状態に応じて調整することとなる。
【００６０】
図５は、押し込み充電時における充電電力Ｗｂと劣化状態の相関を示す図であり、記憶部３３３の充電電力情報３３３ｃの一例である。なお、ここでは、劣化状態として容量維持率を用いて説明する。図５に示すように、容量維持率が大きいほど、充電電力Ｗｂが高い値に調整され、容量維持率が小さいほど、充電電力Ｗｂが低い値に調整される。すなわち、劣化状態が進行するほど、図４に示した差分ｄが大きくなるように、充電電力Ｗｂが調整される。
【００６１】
これにより、劣化状態が進行するほど、押し込み充電時において電池部３１の電極が不安定になりにくく、充電停止時において放電される電力を抑えることが可能となる。つまり、電池部３１の劣化を抑えつつ、蓄電性能を最大限に発揮することが可能である。また、劣化状態が進行していない場合には、劣化状態が進行している場合に比べて、大きい充電電力Ｗｂが設定される。これにより、劣化状態が進行していない場合には、満充電までの時間を短縮することが可能となる。なお、図５では、劣化状態に応じて充電電圧Ｖｂが指数関数的に変化する場合について示したが、これに限定されず、劣化状態に充電電圧Ｖｂが比例して変化するなど、劣化状態が進行するほど充電電圧Ｖｂの値が小さくなれば、その態様は問わない。
【００６２】
ここで、蓄電システム１では、電流を調整することで充電電力Ｗｂを調整する。これは、充電時において端子電圧Ｖｔが、随時変化するためである。仮に、電圧を調整し、充電電力Ｗｂを調整すると、電流を調整し、充電電力Ｗｂを調整する場合に比べて煩雑な処理を要する。
【００６３】
つまり、実施形態に係る蓄電システム１は、電流を調整し、充電電力Ｗｂを調整することで、簡便に充電電力Ｗｂを所望の電力へ調整することができる。なお、蓄電システム１は、電流に代えて電圧を調整することで充電電力Ｗｂを調整することにしてもよいし、電流および電圧の双方を調整することで充電電力Ｗｂを調整することにしてもよい。
【００６４】
次に、図６を用いて実施形態に係る制御装置３３が実行する処理手順について説明する。図６は、実施形態に係る制御装置３３が実行する充電制御処理を示すフローチャートである。
【００６５】
まず、図６に示すように、制御装置３３は、例えば、アグリゲータＳＶの指示に基づき、電池部３１に対する充電開始を行う（ステップＳ１０１）。続いて、制御装置３３は、端子電圧Ｖｔが切替電圧Ｔｈｖより大きいか否かを判定する（ステップＳ１０２）。ここで、制御装置３３は、端子電圧Ｖｔが切替電圧Ｔｈｖより大きい場合（ステップＳ１０２，Ｙｅｓ）、電池部３１の劣化状態に応じて押し込み充電時の充電電力Ｗｂを調整する（ステップＳ１０３）。なお、ステップＳ１０３の処理の具体例については、図７を用いて後述する。
【００６６】
次に、制御装置３３は、充電完了したか否かを判定し（ステップＳ１０４）、充電が完了していた場合（ステップＳ１０４，Ｙｅｓ）、充電を停止して（ステップＳ１０５）、処理を終了する。一方、制御装置３３は、端子電圧Ｖｔが切替電圧Ｔｈｖ以下である場合（ステップＳ１０２，Ｎｏ）、端子電圧Ｖｔが切替電圧Ｔｈｖより大きくなるまで、ステップＳ１０２の処理を継続して行う。また、制御装置３３は、充電完了していない場合（ステップＳ１０４，Ｎｏ）、充電完了までステップＳ１０４の処理を継続して行う。
【００６７】
次に、図７を用いて制御装置３３が実行する充電電力の調整処理について説明する。図７は、制御装置３３が実行する調整処理の処理手順を示すフローチャートであり、図６に示したステップＳ１０３の処理の具体例を示す図である。
【００６８】
図７に示すように、まず、制御装置３３は、容量維持率が９０％より大きいか否かを判定する（ステップＳ２０１）。制御装置３３は、容量維持率が９０％より大きければ（ステップＳ２０１，Ｙｅｓ）、充電電力ＷｂをＡ［Ｗ］へ調整する（ステップＳ２０２）。一方、容量維持率が９０％以下であった場合（ステップＳ２０１，Ｎｏ）、容量維持率が８０％より大きいか否かを判定する（ステップＳ２０３）。
【００６９】
ここで、制御装置３３は、容量維持率が８０％より大きい場合（ステップＳ２０３，Ｙｅｓ）、充電電力ＷｂをＢ［Ｗ］（Ａ＞Ｂ）へ調整し（ステップＳ２０４）、処理を終了する。一方、制御装置３３は、容量維持率が８０％以下であった場合（ステップＳ２０３，Ｎｏ）、容量維持率が７０％よりも大きいか否かを判定する（ステップＳ２０５）。
【００７０】
ここで、制御装置３３は、容量維持率が７０％より大きい場合（ステップＳ２０５，Ｙｅｓ）、充電電力ＷｂをＣ［Ｗ］（Ｂ＞Ｃ）へ調整し（ステップＳ２０４）、処理を終了する。また、制御装置３３は、容量維持率が７０％以下である場合（ステップＳ２０５，Ｎｏ）、充電電力ＷｂをＤ［Ｗ］(Ｃ＞Ｄ)へ調整し（ステップＳ２０７）、処理を終了する。なお、図７は、制御装置３３による充電電力の調整処理の一例であり、数値等は任意に変更することが可能である。
【００７１】
上述したように、実施形態に係る蓄電システム１は、蓄電池３０と、推定部３３２ｂと、調整部３３２ｃとを具備する。推定部３３２ｂは、蓄電池３０（電池部３１）の劣化状態を推定する。調整部３３２ｃは、蓄電池３０の充電時において充電容量が所定値に達した後の充電電力Ｗｂを推定部３３２ｂによって推定された劣化状態に基づいて調整する。これにより、充電停止時におけるリバウンドを抑制することができるため、電池部３１の劣化を抑えつつ、蓄電性能を維持すること。
【００７２】
なお、上述した実施形態では、制御装置３３は、蓄電池３０の内部に設けられることとしたが、これに限定されず、蓄電池３０の外部に設けられることとしてもよい。かかる場合に、制御装置３３は、例えば、住宅ＨＭ内に設けられることとしてもよいし、あるいは、住宅ＨＭ外部のアグリゲータＳＶに設けられることとしてもよい。
【００７３】
本発明の実施形態を説明したが、この実施形態は、例として提示したものであり、発明の範囲を限定することは意図していない。この実施形態は、その他の様々な形態で実施されることが可能であり、発明の要旨を逸脱しない範囲で、種々の省略、置き換え、変更を行うことができる。この実施形態やその変形は、発明の範囲や要旨に含まれると同様に、特許請求の範囲に記載された発明とその均等の範囲に含まれるものである。
【符号の説明】
【００７４】
１    蓄電システム
１１    電力系統
１２    住宅用分電盤
１３    蓄電池用分電盤
１４ａ，１４ｂ，１５ａ，１５ｂ  機器
２１    太陽光パネル
２２    第１パワーコンディショナ
３０    蓄電池
３１    電池部
３２    第２パワーコンディショナ
３３    制御装置
３２１    変換部
３２２    切替部
３３１    通信部
３３２    制御部
３３２ａ  検出部
３３２ｂ  推定部
３３２ｃ  調整部
３３３    記憶部
３３３ａ  充放電履歴情報
３３３ｂ  閾値情報
３３３ｃ  充電電力情報
ＧＷ    ホームゲートウェイ
ＨＭ    住宅
ＳＶ    アグリゲータ
【図１】
2019062600.tif 000003
【図２】
2019062600.tif 000004
【図３】
2019062600.tif 000005
【図４】
2019062600.tif 000006
【図５】
2019062600.tif 000007
【図６】
2019062600.tif 000008
【図７】
2019062600.tif 000009